(57)【要約】      （修正有）【課題】予め折線が付された皮革生地の折り曲げにより、例えば折鶴等の皮革立体折物を容易に制作することができ、且つ繊細で体裁の良い折り目を維持できる立体折物用皮革生地を提供する。【解決手段】皮革生地１の表面側に立体折物形状となるよう折り曲げるための折線Ｌに沿ってハーフカット状の切込線Ｈを刻設し、該切込線Ｈを山折りすることで、皮革立体折物を形成する。皮革立体折物の形成後において皮革生地１の切込線Ｈ以外の部位で裏面側に折り曲げた生地部分は予め切除し、また皮革生地１の折り返した部分の最外部の切込線をフルカット状の切断部に予め形成する。また、皮革生地１は水を湿らせておくこともできる。【選択図】図１
0003216761.tif 000002
【実用新案登録請求の範囲】
【請求項１】
皮革立体折物の形状となるよう山折り状に折り曲げられる皮革生地の表面側の折線に沿ってハーフカット状の切込線を刻設してなることを特徴とする立体折物用皮革生地。
【請求項２】
左右翼部・首頭部・尾部・胴部からなる折鶴様の皮革立体折物の展開図を構成した皮革生地において、皮革表面側の折線に沿ってハーフカット状の前記切込線を刻設し、該切込線の山折り状の折り曲げにより折鶴様の皮革立体折物が形成されるものとする請求項１記載の立体折物用皮革生地。
【請求項３】
皮革立体折物の形成後に前記皮革生地のうち前記左右翼部・首頭部・尾部に相当する部分の皮革生地の裏面側に折り曲げられた生地部分は予め切除する破棄部分としてなる請求項２記載の立体折物用皮革生地。
【請求項４】
皮革立体折物の形成後に前記胴部の最下部側にて折り返された部分の表側に存する切込線をフルカット状の切断部に形成してなる請求項２記載の立体折物用皮革生地。
【請求項５】
皮革生地は、水を湿らせることができる請求項１乃至４のいずれか記載の立体折物用皮革生地。
【考案の詳細な説明】
【技術分野】
【０００１】
この考案は、シート状の皮革生地を、所定位置に設けられる折線に沿って折り曲げることにより、例えば折鶴様等の様々な皮革製の立体折物を制作することができる立体折物用皮革生地に関する。
【背景技術】
【０００２】
一般に、折鶴は、正方形の千代紙などで創る紙細工とされている。その折鶴の形態を皮革生地で表現すべく数多く制作を試みたものの、その大半がこれまでの折り紙式工程を意識し過ぎていたためか、いずれも折鶴様としての確たる表現がなされていなかった。また、皮革生地自体が厚みを有しているので、所定位置に設けられる折線に沿って折り曲げると元に広がってしまい、折鶴様としての形状を留めることができないものとなってしまう。また、折鶴に限らず、紙を素材として折り曲げることで造形される様々な立体折物を皮革を素材として同様に造形するには折り曲げ状態を維持できず、その工作は極めて困難である。
【０００３】
そこで、従来においては、例えば、特許文献１に開示されているように、鮮鋭な折り目を維持することのできる皮革生地の折曲方法及び該方法を用いた皮製品が提案されている。すなわち、この特許文献１による折曲方法は、シート状皮革地の裏面の折り曲げるべき所望の位置に、彫刻刀やカッタナイフ等の刃物を用いて切込溝を刻設した後に、この切込溝の補強や全体の装飾のために、切込溝を刻設した面の全面に薄い布地による裏生地を重ね合わせて接着し、切込溝を谷折線として折り曲げた後に、縫製を行うことにより皮革地の例えば手提げ袋を製造するものである。
【先行技術文献】
【特許文献】
【０００４】
【特許文献１】特開２００５−３０４６８８号公報
【考案の概要】
【考案が解決しようとする課題】
【０００５】
しかしながら、上記した特許文献１による場合では、シート状皮革地の裏面の切込溝の補強や全体の装飾のために、裏生地を重ね合わせて接着するいわゆる裏打ちを行なわなければならず補強作業が非常に面倒である。また、切込溝を谷折した際に、切込溝を刻設した裏面の反対側の皮革表面に無理な伸長力が発生するため切込溝近傍の生地自体が傷んでしまう虞がある。
【０００６】
そこでこの考案は叙上のような従来存した諸事情に鑑み創出されたもので、その目的は、予め折線が付された皮革生地の折り曲げにより、例えば折鶴様等の皮革製の立体折物を容易に制作することができ、且つ繊細で体裁の良い折り目を維持することができる立体折物用皮革生地を提供することにある。
【課題を解決するための手段】
【０００７】
上述した課題を解決するため、この考案に係る立体折物用皮革生地にあっては、後述する考案を実施するための形態における使用符号を付記して説明すると、
皮革立体折物Ｐの形状となるよう山折り状に折り曲げられる皮革生地１の表面側の折線Ｌ（Ｌ１〜Ｌ８）に沿ってハーフカット状の切込線Ｈ（Ｈ１〜Ｈ８）を刻設してなることを特徴とする。
左右翼部２ａ，２ｂ・首頭部３・尾部４・胴部５からなる折鶴様の皮革立体折物Ｐの展開図を構成した正方形の皮革生地１において、皮革表面側の折線Ｌ（Ｌ１〜Ｌ８）に沿ってハーフカット状の前記切込線Ｈ（Ｈ１〜Ｈ８）を刻設し、該切込線Ｈ（Ｈ１〜Ｈ８）の山折り状の折り曲げにより折鶴様の皮革立体折物Ｐが形成されるものとすることができる。
皮革立体折物Ｐの形成後に前記正方形の皮革生地１のうち前記左右翼部２ａ，２ｂ・首頭部３・尾部４に相当する部分の皮革生地１の裏面側に折り曲げられた生地部分は予め切除する破棄部分Ｓとしてなるものとすることができる。
皮革立体折物Ｐの形成後に前記胴部５の最下部側にて折り返された部分の表側に存する切込線Ｈ５をフルカット状の切断部Ｋに形成してなるものとすることができる。
皮革生地１は、水を湿らせることができるものとすることができる。
【０００８】
以上のように構成されたこの考案に係る立体折物用皮革生地にあって、皮革生地１の表面側の折線Ｌ（Ｌ１〜Ｌ８）に沿って刻設されたハーフカット状の切込線Ｈ（Ｈ１〜Ｈ８）は、表面側より山折りした際の折り曲げ状態を維持させる。
皮革生地１の前記切込線Ｈ（Ｈ１、Ｈ２、Ｈ３、Ｈ５、Ｈ６）以外の部位で裏面側に折り曲げられる生地部分を予め切除した破棄部分Ｓは、皮革立体折物Ｐの形成後における皮革生地１の余分な重なりを生じさせず、皮革立体折物Ｐとしての体裁を良好にさせる。
切込線Ｈ（Ｈ１〜Ｈ８）同士が重なる部分の最外部の切込線Ｈ（Ｈ１〜Ｈ８）のフルカット状の切断部Ｋは、皮革立体折物Ｐの形成後における折り返された最外部の皮革生地１の拡がりを許容させる。
左右翼部２ａ，２ｂ・首頭部３・尾部４・胴部５からなる折鶴様の皮革立体折物Ｐの展開図を構成した正方形の皮革生地１における表面側の折線Ｌ（Ｌ１〜Ｌ８）に沿って刻設したハーフカット状の切込線Ｈ（Ｈ１〜Ｈ８）は、表面側より切込線Ｈ（Ｈ１〜Ｈ８）を山折りした際の折り曲げ状態を維持させる。
破棄部分Ｓは、これを予め切除することで、皮革立体折物Ｐの形成後における左右翼部２ａ，２ｂ・首頭部３・尾部４に相当する部分の折り曲げによる余分な生地の重なりを防止させる。
皮革立体折物Ｐの胴部５の最下部側にて折り返された部分の表側に存する切込線Ｈ５のフルカット状の切断部Ｋは、胴部５の下端最外部における拡がりを許容させる。
水を湿らせることができる皮革生地１は、水を湿らせることで、折線Ｌ（Ｌ１〜Ｌ８）によって折り曲げて所定の形態として形作るとき、また制作後の形態の保形性を維持させる。
【考案の効果】
【０００９】
この考案は以上説明したように構成されているため、予め折線Ｌ（Ｌ１〜Ｌ８）が付された皮革生地１の折り曲げにより、例えば折鶴様等の皮革立体折物Ｐを容易に制作することができ、且つ繊細で体裁の良い折り目を維持することができる。
【００１０】
すなわち、これはこの考案が、皮革立体折物Ｐの形状となるよう山折り状に折り曲げられる皮革生地１の表面側の折線Ｌ（Ｌ１〜Ｌ８）に沿ってハーフカット状の切込線Ｈ（Ｈ１〜Ｈ８）を刻設してなるので、折線Ｌ（Ｌ１〜Ｌ８）を折り込んでも直ぐには元のフラットな折り返し前の状態に戻らないため、折り曲げ作業をスムーズに行うことができ、これにより種々の形状による皮革立体折物Ｐを容易に形成することができる。
【００１１】
左右翼部２ａ，２ｂ・首頭部３・尾部４・胴部５からなる折鶴様の皮革立体折物Ｐの展開図を構成した正方形の皮革生地１において、皮革表面側の折線Ｌ（Ｌ１〜Ｌ８）に沿ってハーフカット状の前記切込線Ｈ（Ｈ１〜Ｈ８）を刻設し、該切込線Ｈ（Ｈ１〜Ｈ８）の山折り状の折り曲げにより折鶴様の皮革立体折物Ｐが形成されるものとするので、表面側より折線Ｌ（Ｌ１〜Ｌ８）を山折りした際の折り曲げ状態を維持させ、折鶴様の皮革立体折物Ｐを容易に形成することができる。
【００１２】
皮革立体折物Ｐの形成後に前記正方形の皮革生地１のうち前記左右翼部２ａ，２ｂ・首頭部３・尾部４に相当する部分の皮革生地１の裏面側に折り曲げられた生地部分は予め切除する破棄部分Ｓとしてなるので、破棄部分Ｓの切除により、皮革立体折物Ｐの形成時における左右翼部２ａ，２ｂ・首頭部３・尾部４として折り曲げ形成する部分の折り曲げ作業をスムーズに行うことができ、しかも皮革生地１の余分な重なりによって体裁が悪くなるのを未然に防止することができる。
【００１３】
皮革立体折物Ｐの形成後に前記胴部５の最下部側にて折り返された部分の表側に存する切込線Ｈ５をフルカット状の切断部Ｋに形成してなるので、折鶴様の皮革立体折物Ｐの形成後において前記胴部５の最下部側で折り返された皮革生地１の下端最外部における拡がりを許容させ、これにより胴部５の下端最外部の折り曲げ形状を維持することができる。
【００１４】
また、皮革生地１に水を湿らせることができるようにしてあり、水を湿らせることで、皮革生地１を折線Ｌ（Ｌ１〜Ｌ８）に沿って山折りして、所定形態の立体状の皮革立体折物Ｐを制作するに際し、皮革自体に対する折り曲げ作業を容易にするばかりでなく、製作後の形態を長期にわたり維持することができる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す皮革立体折物を形成するための折線に沿って形成される切込線の要部を示すもので、（ａ）は切込線を形成する前の折線を示す要部斜視図、（ｂ）は切込線を形成した状態の要部斜視図、（ｃ）は切込線を山折りした状態の要部斜視図である。
【図２】折線に切込線を形成した皮革生地の展開表面図である。
【図３】破棄部分を切除することで折物用生地本体とした皮革生地の展開表面図である。
【図４】同じく破棄部分を切除した折物用生地本体の展開裏面図である。
【図５】図５中（ａ）〜（ｆ）は、折鶴様となる皮革立体折物の折り曲げ手順を示す説明図である。
【図６】図６中（ｇ）〜（ｌ）は、折鶴様となる皮革立体折物の折り曲げ手順を示す説明図である。
【図７】折鶴様の皮革立体折物の完成状態を示す斜視図である。
【考案を実施するための形態】
【００１７】
以下、図面を参照してこの考案を実施するための一形態を説明すると、図において示される符号１は、例えば、なめし処理と、必要に応じて染色処理等を施した厚さが例えば約０．５〜１ｍｍのシート状の皮革生地であり、種々の形状による皮革立体折物Ｐを形成するために、図１（ａ）に示すように、生地表面側において折線Ｌが設けられている。図１（ｂ）に示すように、折線Ｌに沿って例えば深さが、皮革生地１の肉厚に比し約１／２程度の例えば約０．２〜０．５ｍｍ程度のハーフカット状の切込線Ｈを刻設する。図１（ｃ）に示すように、切込線Ｈを山折りすることで例えば後述する折鶴様の皮革立体折物Ｐが形成される。
【００１８】
なお、この皮革生地１は、水を湿らせることができるようにしてあり、水中に浸漬したり、水を被せたりして含水させることで、折り曲げ等の作業を容易に行えるようにしている。
【００１９】
切込線Ｈの形成は、例えば、彫刻刀やカッタナイフ等の刃物を用いても良い。あるいはレーザーカッター方式により、皮革生地１の表面側の折線Ｌに沿って所定深さとなるようにレーザーの励起電圧を保持し、速度変動制御しながら移動して切開することにより、表面側にハーフカット状の切込線Ｈを形成することでも良い。
【００２０】
本実施形態では皮革立体折物Ｐとして、以下に例えば折鶴様の工作物とする場合について説明する。なお、折鶴様以外に縫製や接着を必要としない例えばウサギ・かめ・蝶・花等の立体形状を有する折物造形物や被服、帽子、手袋、鞄等の立体形状を有する折物マスコット等にも応用することもできる。また、上記皮革生地１は天然皮革あるいは合成皮革を問わない。
【００２１】
図２には、折鶴様の皮革立体折物Ｐ（図７参照）を形成するための正方形の皮革生地１を表面側から視た展開平面図が示されており、折鶴様に形成される皮革立体折物Ｐの胴部５に対応する皮革生地１の中央矩形部分と、該中央矩形部分から四方向の正方形頂角部へ向けて延びた左右翼部２ａ，２ｂ・首頭部３・尾部４に対応する皮革生地１の剣先状部分とが区画配置されてなる。なお、図において、表面側、裏面側それぞれをドット模様の粗密の相違で図示してあるも、これは表裏を理解し易くするためで、模様等として表示されているものではない。
【００２２】
左右翼部２ａ，２ｂに対応する剣先状部分の中央には正方形の皮革生地１における一方の対角線となる第１折線Ｌ１（図中では水平な折線Ｌ１により上下線対称）が設けられ、首頭部３から尾部４にかけて対応する剣先状部分の中央には正方形の他方の対角線となる第２折線Ｌ２（図中では垂直な折線Ｌ１により左右線対称）が設けられている。
【００２３】
縦横十文字状に交叉する第１折線Ｌ１と第２折線Ｌ２との間の角度４５°間隔毎にＸ状に交差する第３折線Ｌ３が配置されている。また、第３折線Ｌ３からは左右翼部２ａ，２ｂ側に向けて斜め外方向に延びる第８折線Ｌ８と、首頭部３・尾部４に向けて斜め外方向に延びる第４折線Ｌ４が配置されている。
【００２４】
第３折線Ｌ３の外方端部は３方向に分岐し、１つ目は左右翼部２ａ，２ｂと胴部５との間をつなぐ第７折線Ｌ７となり、２つ目は首頭部３・尾部４と胴部５との間をつなぐ第６折線Ｌ６となり、３つ目は、前記第１折線Ｌ１と平行であって、首頭部３・尾部４の前記第４折線Ｌ４につながる第５折線Ｌ５となっている。これら折線Ｌ３、Ｌ４、Ｌ５、Ｌ６、Ｌ７、Ｌ８は、第１折線Ｌ１および第２折線Ｌ２に対して互いに線対称となって配置されている。
【００２５】
図２中の符号Ｓは、正方形の皮革生地１から左右翼部２ａ，２ｂ・首頭部３・尾部４を残して切除される破棄部分（図２における白地部分）であり、破棄部分Ｓを予め切除しておくことで、皮革立体折物Ｐの形成後には、折鶴Ｐの左右翼部２ａ，２ｂ・首頭部３・尾部４に相当する部分に重なりが生じず、１枚の生地となる。
【００２６】
また、後述するように、図２中の符号Ｖ１は左右翼部２ａ，２ｂをそれぞれ折り返す第１折り返し線（図中、左右対称位置における縦方向の点線で示す）であり、符号Ｖ２は首頭部３・尾部４をそれぞれ折り返す第２折り返し線（図中、上下対称位置における横方向の点線で示す）である。
【００２７】
また、折鶴様の皮革立体折物Ｐの形成後において、前記第１折線Ｌ１は、折鶴の胴部５の背中部分の中心から左右翼部２ａ，２ｂの先端にかけての中央線部分に対応する。前記第２折線Ｌ２は、折鶴の胴部５の背中部分の中心から首頭部３・尾部４の各先端にかけての中央線部分に対応する。前記第１折線Ｌ３は、折鶴の胴部５の背中部分の中心から左右翼部２ａ，２ｂおよび首頭部３・尾部４の付根にかけての斜行線部分に対応する。前記第４折線Ｌ４は、折鶴の胴部５の腹部分から首頭部３・尾部４の各先端にかけての縁線部分に対応する。前記第５折線Ｌ５は、折鶴の左右翼部２ａ，２ｂの前記第２折り返し線Ｖ２に重なる付根部分に対応する。前記第６折線Ｌ６は、折鶴の胴部５の腹部分に重なる首頭部３・尾部４の付根部分に対応する。前記第７折線Ｌ７および第８折線Ｌ８は、折鶴の胴部５の腹部分に重なる左右翼部２ａ，２ｂの付根部分にそれぞれ対応する。
【００２８】
図３には、正方形の皮革生地１のうち前記破棄部分Ｓを切除した折物用生地本体１Ａの展開表面図を示すものであり、折物用生地本体１Ａは全体が略十字星の形を有している。本図においては、上記第３折線Ｌ３、第４折線Ｌ４、第６折線Ｌ６、第７折線Ｌ７、第８折線Ｌ８に沿ってハーフカット状の第３切込線Ｈ３、第４切込線Ｈ４、第６切込線Ｈ６、第７切込線Ｈ７、第８切込線Ｈ８がそれぞれ刻設され、４つの対称位置に配された上記第５折線Ｌ５は、全てフルカット状の切断部Ｋとなっている。
【００２９】
図４は、正方形の皮革生地１のうち前記破棄部分Ｓを切除した展開裏面図を示すものであり、４つの対称位置に配されたフルカット状の切断部Ｋだけが視えている。
【００３０】
次に、以上のように構成された形態についての上記折物用生地本体１Ａによる折鶴様の皮革立体折物Ｐの形成手順の一例について図５〜図７を参照して説明すると、先ず、折物用生地本体１Ａ全体を素材の色が変わる程度に水で湿らせておく。水を湿らせることで折り曲げ作業を一層容易に行えるのであり、これは生地全体が折物用生地本体１Ａ本来の濡れ状態から乾燥した際の固化する性質を利用するものである。
【００３１】
図５（ａ）に示すように、折物用生地本体１Ａの表面側の第１切込線Ｈ１（図中の点線部分で示す）を矢印イ方向に山折りして折物用生地本体１Ａを半分に折る。
【００３２】
図５（ｂ）に示すように、左右翼部２ａ，２ｂの図中、折り方説明用としての印として表示されている「○」と「○」との部分を合わせるように、第２切込線Ｈ２を山折りして半分に折る。
【００３３】
図５（ｃ）に示すように、左翼部２ａ部分における第１切込線Ｈ１および第２切込線Ｈ２によって折り込まれている隙間に矢印ハ方向に手指を入れ、第３切込線Ｈ３を山折りして拡げるように折る。
【００３４】
図５（ｄ）に示すように、右翼部２ｂ部分における第１切込線Ｈ１および第２切込線Ｈ２によって折り込まれている隙間も同様に手指を入れ、第３切込線Ｈ３を山折りして拡げるように折る。なお、左翼部２ａ部分または右翼部２ｂ部分の何れが先に第３切込線Ｈ３を拡げるようにしても良い。
【００３５】
図５（ｅ）に示すように、図中の点線で示す第１折り返し線Ｖ１を矢印ニ方向に折り返し、第６切込線Ｈ６、第７切込線Ｈ７、第８切込線Ｈ８等を介して、折り方説明用としての印として表示されている両側の「×」の部分を内側に折る。
【００３６】
図５（ｆ）に示すように、片面が終わったら逆面も図５（ｅ）と同様に折る。
【００３７】
図６（ｇ）に示すように、首頭部３・尾部４部分の図中、折り方説明用としての印として表示されている「○」と「○」との部分を、切込線Ｈ４を介して、互いに内側へ矢印ホ方向に折る。
【００３８】
図６（ｈ）に示すように、左右翼部２ａ，２ｂ部分を図中の点線で示す第１切込線Ｈ１を中心に矢印ヘ方向に折り曲げ、図中、折り方説明用としての印として表示されている「○」同士が重なるようにする。
【００３９】
図６（ｉ）に示すように、首頭部３・尾部４部分を図中の点線で示す第２折り返し線Ｖ２を介して矢印ト方向に折り返す。
【００４０】
図６（ｊ）に示すように、首頭部３・尾部４部分の図中の点線で示す第２切込線Ｈ２を介して、図中、折り方説明用としての印として表示されている「○」と「○」の部分を合わせるように折り曲げる。
【００４１】
図６（ｋ）に示すように、首頭部３部分の先端部を矢印チ方向へ折り返して頭部を作る。
【００４２】
図６（ｌ）に示すように、左右翼部２ａ，２ｂ部分を矢印リ方向へ外側に拡げ、胴部５の背中部分を上から押して丸みを付ける。
【００４３】
これにより、図７に示すように、折物用生地本体１Ａによる折鶴様の皮革立体折物Ｐが完成する。このとき胴部５部分の腹部側には上記切断部Ｋが左右前後４箇所の対称位置に配置され、皮革立体折物Ｐの形成後において胴部５の最下部側で折り返された折物用生地本体１Ａの拡がりを許容させる。
【符号の説明】
【００４４】
Ｐ…皮革立体折物
Ｌ…折線
Ｌ１〜Ｌ８…第１〜第８折線
Ｈ…切込線
Ｈ１〜Ｈ８…第１〜第８切込線
Ｋ…切断部
Ｓ…破棄部分
Ｖ１…第１折り返し線
Ｖ２…第２折り返し線
１…皮革生地
１Ａ…折物用生地本体
２ａ…左翼部
２ｂ…右翼部
３…首頭部
４…尾部
５…胴部
イ、ロ、ハ、ニ、ホ、ヘ、ト、チ、リ…折り曲げ方向
【図１】
0003216761.tif 000003
【図２】
0003216761.tif 000004
【図３】
0003216761.tif 000005
【図４】
0003216761.tif 000006
【図５】
0003216761.tif 000007
【図６】
0003216761.tif 000008
【図７】
0003216761.tif 000009